(57)【要約】      （修正有）【課題】構造が簡略で組み立て性がよく低価格に製造できて量産に適し、軽量化、薄型化、複雑構造化にも対応でき、更に、空気の誘電率を利用した安定した電気的特性も得ることができる静電容量センサアンテナ構造を提供する。【解決手段】非導電材で下方が開口した箱型状の成型品からなる第１外殻体２と、非導電材で第１外殻体２の開口領域に接合配置し第１外殻体２との間に空気領域５を形成する成型品からなる第２外殻体３とにより中空構造としたアンテナ外殻体４と、アンテナ外殻体４における空気領域５を挟んで対向する対向面に各々設けた第１導電材部６、第２導電材部７と、第１導電材部６、第２導電材部７から各々導出した第１配線材８、第２配線材９とを有するものである。【選択図】図３
0003214481.tif 000002
【実用新案登録請求の範囲】
【請求項１】
非導電材で中空のアンテナ外殻体と、
前記アンテナ外殻体における空気領域を挟んで対向する対向面に各々設けた第１導電材部、第２導電材部と、
前記第１導電材部、第２導電材部から各々導出した第１配線材、第２配線材と、
を有することを特徴とする静電容量型センサアンテナ構造。
【請求項２】
非導電材で下方が開口した箱型状の成型品からなる第１外殻体と、非導電材で前記第１外殻体の開口領域に接合配置し前記第１外殻体との間に空気領域を形成する成型品からなる第２外殻体とにより中空構造としたアンテナ外殻体と、
前記アンテナ外殻体における空気領域を挟んで対向する対向面に各々設けた第１導電材部、第２導電材部と、
前記第１導電材部、第２導電材部から各々導出した第１配線材、第２配線材と、
を有することを特徴とする静電容量型センサアンテナ構造。
【請求項３】
非導電材で下方が開口した箱型状の成型品からなる第１外殻体と、非導電材で前記第１外殻体の開口領域に接合配置し前記第１外殻体との間に空気領域を形成する成型品からなる第２外殻体とにより中空構造としたアンテナ外殻体と、
前記アンテナ外殻体における空気領域を挟んで対向する対向面に各々設けた第１導電材部、第２導電材部と、
前記第１導電材部、第２導電材部から各々導出した第１配線材、第２配線材と、
前記アンテナ外殻体の外周全体を覆う非導電材からなる外被部と、
を有することを特徴とする静電容量型センサアンテナ構造。
【請求項４】
前記第１導電材部は前記第１外殻体の内底面に設けられ、前記第２導電材部は前記第２外殻体の前記第１導電材部に対向する上面に設けられていることを特徴とする請求項２又は３に記載の静電容量型センサアンテナ構造。
【請求項５】
前記アンテナ外殻体は、非導電材で成型品により形成した弧状板からなる第１外殻体と、この第１外殻体の内面に対して間に空気領域を形成しつつ対向配置される成型品で弧状板からなる第２外殻体と、からなり、前記第１外殻体の内面、前記第１外殻体の内面と対向する第２外殻体の外面に各々設けた第１導電材部、第２導電材部を備えること、
を特徴とする請求項１に記載の静電容量型センサアンテナ構造。
【請求項６】
前記アンテナ外殻体は、非導電材で成型品により形成した開口有底円筒状の第１外殻体と、この第１外殻体の筒部及び底部の外側に対して間に空気領域を形成しつつ対向配置される成型品で開口有底円筒状の第２外殻体と、からなり、前記第１外殻体の筒部及び底部の外面に各々設けた第１導電材部、及び、前記第２外殻体の前記第１外殻体の筒部及び底部と対向する筒部及び底部の内面に各々設けた第２導電材部を備えること、
を特徴とする請求項１に記載の静電容量型センサアンテナ構造。
【請求項７】
前記アンテナ外殻体は、非導電材で成型品により形成した下方が開口したドーム型の第１外殻体と、この第１外殻体に対して間に空気領域を形成しつつ嵌着配置される成型品からなるドーム型の第２外殻体と、からなり、前記第１外殻体の内面、前記第１外殻体の内面と対向する第２外殻体の外面に各々設けた第１導電材部、第２導電材部を備えること、
を特徴とする請求項１に記載の静電容量型センサアンテナ構造。
【請求項８】
前記アンテナ外殻体は、非導電材で成型品により形成した下方が開口したドーム型の第１外殻体と、この第１外殻体に対して間に空気領域を形成しつつ嵌着配置される成型品からなるドーム型の第２外殻体と、からなり、前記第１外殻体の内面、前記第１外殻体の内面と対向する第２外殻体の外面に各々設けた第１導電材部、第２導電材部を備え、前記第２外殻体の第１外殻体と接合する外面の端縁の一部に導電材部の無い間隔保持肉厚部を設けたこと、
を特徴とする請求項１に記載の静電容量型センサアンテナ構造。
【考案の詳細な説明】
【技術分野】
【０００１】
本考案は、静電容量センサアンテナ構造に関し、詳しくは、構造が簡略で組み立て性がよく低価格に製造できて量産に適し、軽量化、薄型化、複雑構造化にも対応でき、更に、空気の誘電率を利用した安定した電気的特性も得ることができる静電容量センサアンテナ構造に関するものである。
【背景技術】
【０００２】
従来におけるこの種の静電容量センサアンテナ構造２１について図８を参照して説明する。
【０００３】
従来の静電容量センサアンテナ構造２１は、導電材により形成したアンテナ電極板２２、ＧＮＤ側電極板２３の間に、非導電材である絶縁体２４を介在させ、これらの外周全体を非導電材からなる外被２５の塗着等により被覆し、前記アンテナ電極板２２、ＧＮＤ側電極板２３の一部に第１配線材、第２配線材の一端を接続して前記第１配線材２６、第２配線材２７を外部に導出したものである。
【０００４】
しかし、従来の静電容量センサアンテナ構造２１の場合、アンテナ電極板２２、ＧＮＤ側電極板２３の間に、絶縁体２４を介在させ、外被２５により被覆した構造であるため、構成部品数が多く、組み立て工程も多く、低コスト化が難しいとともに、絶縁体２４を使用することからアンテナ電極板２２、ＧＮＤ側電極板２３の間の静電容量のバラツキが生じ易くて電気的特性の不安定化を招来し、加えて、軽量化、薄型化、複雑構造化への対応も容易ではないという問題を包含していた。
【０００５】
特許文献１には、接地板２２がケース２５内に収納されるとともに、接地板２２と対向するケース２５の内面３３にアンテナパターン２１が形成されて、接地板２２とアンテナパターン２１との間に空気層３７が介在する構成としたアンテナモジュールが開示されている。
【０００６】
しかし、この特許文献１のアンテナモジュールの場合、ケース２５の内面３３にプリントによるアンテナパターン２１を設けた構成であり、空間を伝播する電気信号を検知するためのアンテナパターン２１をケース２５内に配置しなければならない構成である。
【先行技術文献】
【特許文献】
【０００７】
【特許文献１】特開２００５−２８６７９３号公報
【考案の概要】
【考案が解決しようとする課題】
【０００８】
本考案は、上記事情に鑑みてなされたものであり、構造が簡略で組み立て性がよく低価格に製造できて量産に適し、軽量化、薄型化、複雑構造化にも対応でき、更に、空気の誘電率を利用した安定した電気的特性も得ることができる静電容量センサアンテナ構造を提供するものである。
【課題を解決するための手段】
【０００９】
本考案は、非導電材で中空のアンテナ外殻体と、前記アンテナ外殻体における空気領域を挟んで対向する対向面に各々設けた第１導電材部、第２導電材部と、前記第１導電材部、第２導電材部から各々導出した第１配線材、第２配線材と、を有することを最も主要な特徴とする。
【考案の効果】
【００１０】
請求項１記載の考案によれば、構造が簡略で組み立て性がよく低価格に製造できて量産に適し、軽量化、薄型化、複雑構造化にも対応でき、更に、空気の誘電率を利用した安定した電気的特性、すなわち、空気の誘電率が合成樹脂等よりも低いことから、静電容量センサアンテナ自体の静電容量を小さくでき検出感度を挙げることが可能となり、また、空気の誘電率を利用することで静電容量センサアンテナ自体の静電容量を絶縁体を使用するものと同じとしたままで静電容量センサアンテナのサイズを大きくしたり薄型化したりすることができる静電容量センサアンテナ構造を実現し提供することができる。
【００１１】
請求項２記載の考案によれば、アンテナ外殻体として、非導電材で下方が開口した箱型状の成型品からなる第１外殻体と、非導電材で前記第１外殻体の開口領域に接合配置し前記第１外殻体との間に空気領域を形成する成型品からなる第２外殻体とにより中空構造とした構成の基に、請求項１記載の考案と同様な効果を奏する静電容量センサアンテナ構造を実現し提供することができる。
【００１２】
請求項３記載の考案によれば、請求項２記載の考案の効果を奏することに加え、アンテナ外殻体の外周全体を覆う非導電材からなる外被部を備えることで、外傷防止、耐久性向上をも図ることができる静電容量センサアンテナ構造を実現し提供することができる。
【００１３】
請求項４記載の考案によれば、請求項２又は３に記載の考案において、前記第１導電材部は前記第１外殻体の内底面に設けられ、前記第２導電材部は前記第２外殻体の前記第１導電材部に対向する上面に設けられている構成の基に、請求項２又は３に記載の考案と同様な効果を奏する静電容量センサアンテナ構造を実現し提供することができる。
【００１４】
請求項５記載の考案によれば、一対の弧状板からなる第１外殻体、第２外殻体の対向配置の構成の基に、請求項１記載の考案と同様な効果を発揮させることができる静電容量センサアンテナ構造を実現し提供することができる。
【００１５】
請求項６記載の考案によれば、一対の開口有底円筒状からなる第１外殻体、第２外殻体の対向配置の構成の基に、請求項１記載の考案と同様な効果を発揮させることができる静電容量センサアンテナ構造を実現し提供することができる。
【００１６】
請求項７記載の考案によれば、一対のドーム型を呈する第１外殻体、第２外殻体の対向配置の構成の基に、請求項１記載の考案と同様な効果を発揮させることができる静電容量センサアンテナ構造を実現し提供することができる。
【００１７】
請求項８記載の考案によれば、一対のドーム型を呈する第１外殻体、第２外殻体の対向配置の構成の基に、請求項１記載の考案と同様な効果を発揮させることができ、かつ、第１外殻体、第２外殻体における端縁の間隔保持を的確に行うことも可能な静電容量センサアンテナ構造を実現し提供することができる。
【図面の簡単な説明】
【００１８】
【図１】図１は本考案の実施例に係る静電容量センサアンテナ構造全体の外観を示す概略斜視図である。
【図２】図２は本実施例に係る静電容量センサアンテナ構造における第１外殻体、第１外殻体からなるアンテナ外殻体、第１導電材部、第２導電材部、及び、第１配線材、第２配線材を示す概略分解斜視図である。
【図３】図３は本実施例に係る静電容量センサアンテナ構造の概略断面図である。
【図４】図４は本考案の実施例の第１の変形例に係る静電容量センサアンテナ構造全体の外観を示す概略分解斜視図である。
【図５】図５は本考案の実施例の第２の変形例に係る静電容量センサアンテナ構造全体の外観を示す概略分解斜視図である。
【図６】図６は本考案の実施例の第３の変形例に係る静電容量センサアンテナ構造全体の外観を示す概略分解斜視図である。
【図７】図７は本考案の実施例の第４の変形例に係る静電容量センサアンテナ構造全体の外観を示す概略分解斜視図である。
【図８】図８は従来のアンテナ構造の概略斜視図である。
【考案を実施するための形態】
【００１９】
本考案は、構造が簡略で組み立て性がよく低価格に製造できて量産に適し、軽量化、薄型化、複雑構造化にも対応でき、更に、空気の誘電率を利用した安定した電気的特性も得ることができる静電容量センサアンテナ構造を提供するという目的を、非導電材で下方が開口した箱型状の成型品からなる第１外殻体と、非導電材で前記第１外殻体の開口領域に接合配置し前記第１外殻体との間に空気領域を形成する成型品からなる第２外殻体とにより中空構造としたアンテナ外殻体と、前記アンテナ外殻体における空気領域を挟んで対向する対向面に各々設けた第１導電材部、第２導電材部と、前記第１導電材部、第２導電材部から各々導出した第１配線材、第２配線材と、を有する構成により実現した。
【実施例】
【００２０】
以下に図面を参照して、本考案の実施例に係る静電容量型センサアンテナ構造１について詳細に説明する。
【００２１】
本実施例に係る静電容量型センサアンテナ構造１は、図１乃至図３に示すように、非導電材で下方が開口した例えば箱型状（四角升型状）の成型品からなる第１外殻体２と、非導電材で前記第１外殻体２の開口領域に接合配置し前記第１外殻体２との間に空気領域５を形成する成型品からなる第２外殻体３とにより中空構造としたアンテナ外殻体４と、前記アンテナ外殻体４内における空気領域５を挟んで対向する対向面（第１外殻体２の内底面、第２外殻体３の上面）に各々設けた第１導電材部６（クロス斜線を付して示す）、第２導電材部７（クロス斜線を付して示す）と、前記第１導電材部６、第２導電材部７の各隅部から各々導出した公知の第１配線材８、第２配線材９と、前記アンテナ外殻体４の外周全体を覆う外傷防止用、耐久性向上用の非導電材からなる例えば塗布処理等で必要に応じて形成した外被部１０と、を有している。
なお、前記外被部１０は、必須ではなく必要に応じて形成するものであり、特に前記第１外殻体２の下面、第２外殻体３の下面に第１導電材部６、第２導電材部７を設けて静電容量型センサアンテナ構造１を構成する場合に有益である。
【００２２】
前記第１外殻体２、第２外殻体３の成型に使用する非導電性樹脂としては、ポリエチレン（ＰＥ）、ポリプロピレン（ＰＰ）、ポリスチレン（ＰＳ）、ポリ塩化ビニル（ＰＶＣ）、ＡＢＳ樹脂、ポリエチレンテレフタレート（ＰＥＴ）等を挙げることができる。
【００２３】
前記外被部１０の塗布形成に用いる非導電性樹脂についても同様である。
【００２４】
また、前記第１導電材部６、第２導電材部７の形成態様としては、アクリル系導電樹脂塗料、フェノール系導電樹脂塗料、ポリカーボネイト系導電樹脂塗料等から選定される導電樹脂塗料を、前記第１外殻体２の内底面、前記第２外殻体３の上面に塗布する例を挙げることができる。
なお、前記第１導電材部６、第２導電材部７を前記第１外殻体２の上面、前記第２外殻体３の下面に塗布する構成とすることも可能である。
【００２５】
この他、前記第１外殻体２の内底面や上面、前記第２外殻体３の上面や下面に対するクロームメッキ処理、ニッケルメッキ処理等のメッキ処理により前記第１導電材部６、第２導電材部７を形成したり、前記第１外殻体２の内底面や上面、前記第２外殻体３の上面や下面に対して図示しないが導電布の貼り付け処理を行い、前記第１導電材部６、第２導電材部７を形成したり、金属箔、導電フィルムを使用したり、金属蒸着したりする構成とすることもできる。
【００２６】
上述した本実施例の静電容量型センサアンテナ構造１は、前記第１外殻体２、第２外殻体３からなる非導電材の成型品を接合して、内部に空気領域５を備えるアンテナ外殻体４を構成し、対向する第１外殻体２の内底面、第２外殻体３の上面に各々第１導電材部６、第２導電材部７を形成し、前記第１導電材部６、第２導電材部７の面積、及び、間隔、並びに、前記空気領域５における一定の誘電率を有する空気によって定まる安定した静電容量の基に静電容量型センサとしての機能を発揮させるようにしたものである。
【００２７】
従って、成型品の接合構造からなるアンテナ外殻体４及び第１導電材部６、第２導電材部７は上述した箱型状の他、複雑な形状に対応し易く、また、構成部品点数が従来例より少なく組み立て工程が簡略化し、これにより低価格に製造できて量産に適する利点がある。
【００２８】
また、前記第１導電材部６、第２導電材部７間は一定の誘電率を有する空気のみが存在する構成であり、これにより、静電容量型センサとしての電気的特性のバラツキが無くなり極めて安定した電気的特性の基にセンサ機能を発揮させることができる。
すなわち、空気の誘電率が合成樹脂等よりも低いことから、静電容量センサアンテナ自体の静電容量を小さくでき検出感度を上げることが可能となり、また、空気の誘電率を利用することで静電容量センサアンテナ自体の静電容量を絶縁体（例えば発泡絶縁体等）を使用するものと同じとしたままで静電容量センサアンテナのサイズを大きくしたり薄型化したりすることができる。
【００２９】
このように、前記第１導電材部６、第２導電材部７間は一定の誘電率を有する空気のみが存在する構成であることから、従来のように電極間に絶縁体（例えば発泡絶縁体等）を介在させる場合に比べ静電容量値を最小化することもでき、これにより、従来例に比べ高感度な電気的特性を有する静電容量型センサアンテナ構造１を実現することも可能となる。
逆に、従来例と同等の感度特性を発揮させようとする場合には、アンテナ構造１自体の薄型化、軽量化を実現することが可能となる。
【００３０】
さらに詳述すると、上述した安定した電気的特性は、ハード部材からなるアンテナ外殻体４を用い、形状変化を少なくすることで第１導電材部６、第２導電材部７間の間隔を一定に保持することができることにより得られるものである。
そして、第１導電材部６、第２導電材部７間の間隔が一定に保持される（静電容量に変化かない）ことによって、大量生産時のバラツキを減らせることや検出感度の変動を防止できる利点がある。
既述した従来例の場合においては、変形が生じたりするので、静電容量センサアンテナの検出感度の変動が生じやすいものである。
【００３１】
次に図４を参照して本考案の実施例の第１の変形例に係る静電容量センサアンテナ構造１Ａについて説明する。
【００３２】
図４に示す第１の変形例に係る静電容量型センサアンテナ構造１Ａは、アンテナ外殻体４Ａを、非導電材で成型品により形成した弧状板からなる第１外殻体２Ａと、この第１外殻体２Ａの内面に対して間に空気領域５Ａを形成しつつ対向配置される成型品で弧状板からなる第２外殻体３Ａと、により構成するとともに、前記第１外殻体２Ａの内面、前記第１外殻体の内面と対抗する第２外殻体３Ａの外面に各々設けた第１導電材部６Ａ、第２導電材部７Ａ（図５において灰色を付して示す。以下同様）を備える構成としたことが特徴である。
【００３３】
なお、図４においては、第１配線材、第２配線材の図示を省略する。
【００３４】
また、図４に示す第１の変形例に係る静電容量型センサアンテナ構造１Ａにおけるアンテナ外殻体４Ａの第１外殻体２Ａ、第２外殻体３Ａの材質、前記第１導電材部６Ａ、第２導電材部７Ａの材質、形成態様は、既述した実施例の場合と同様である。
【００３５】
図４に示す第１の変形例に係る静電容量型センサアンテナ構造１Ａによっても、一対の弧状板からなる前記第１外殻体２Ａ、第２外殻体３Ａの対向配置の構成の基に、既述した実施例の静電容量センサアンテナ構造１の場合と同様な効果を発揮させることができる。
【００３６】
次に図５を参照して本考案の実施例の第２の変形例に係る静電容量センサアンテナ構造１Ｂについて説明する。
【００３７】
図５に示す第２の変形例に係る静電容量型センサアンテナ構造１Ｂは、アンテナ外殻体４Ｂを、非導電材で成型品により形成した開口有底円筒状の第１外殻体２Ｂと、この第１外殻体２Ｂの筒部及び底部の外側に対して間に空気領域５Ｂを形成しつつ対向配置される成型品で開口有底円筒状の第２外殻体３Ｂとにより構成するとともに、前記第１外殻体２Ｂの筒部及び底部の外面に各々設けた第１導電材部６Ｂ、及び、前記第２外殻体３Ｂの筒部及び底部の内面に各々設けた第２導電材部７Ｂを備える構成としたことが特徴である。
【００３８】
なお、図５においては、第１配線材、第２配線材の図示を省略する。
【００３９】
また、図５に示す第２の変形例に係る静電容量型センサアンテナ構造１Ｂにおけるアンテナ外殻体４Ｂの第１外殻体２Ｂ、第２外殻体３Ｂの材質、前記第１導電材部６Ｂ、第２導電材部７Ｂの材質、形成態様は、既述した実施例の場合と同様である。
【００４０】
図５に示す第２の変形例に係る静電容量型センサアンテナ構造１Ｂによっても、一対の開口有底円筒状からなる前記第１外殻体２Ｂ、第２外殻体３Ｂの対向配置の構成の基に、既述した実施例の静電容量センサアンテナ構造１の場合と同様な効果を発揮させることができる。
【００４１】
次に図６を参照して本考案の実施例の第３の変形例に係る静電容量センサアンテナ構造１Ｃについて説明する。
【００４２】
図６に示す第３の変形例に係る静電容量型センサアンテナ構造１Ｃは、アンテナ外殻体４Ｃを、非導電材で成型品により形成した下方が開口したドーム型の第１外殻体２Ｃと、この第１外殻体２Ｃに対して間に空気領域５Ｃを形成しつつ嵌着配置される成型品からなるドーム型の第２外殻体３Ｃと、により構成するとともに、前記第１外殻体２Ｃの内面、前記第１外殻体２Ｃの内面と対向する第２外殻体３Ｃの外面に各々設けた第１導電材部６Ｃ、第２導電材部７Ｃを備える構成としたことが特徴である。
【００４３】
なお、図６においては、第１配線材、第２配線材の図示を省略する。
【００４４】
図６に示す第３の変形例に係る静電容量型センサアンテナ構造１Ｃによっても、一対のドーム型を呈する前記第１外殻体２Ｃ、第２外殻体３Ｃの対向配置の構成の基に、既述した実施例の静電容量センサアンテナ構造１の場合と同様な効果を発揮させることができる。
【００４５】
次に図７を参照して本考案の実施例の第４の変形例に係る静電容量センサアンテナ構造１Ｄについて説明する。
【００４６】
図７に示す第４の変形例に係る静電容量型センサアンテナ構造１Ｄは、上述した第３の変形例に係る静電容量型センサアンテナ構造１Ｃの場合と略同様な構成であるが、アンテナ外殻体４Ｄを非導電材で成型品により形成した下方が開口したドーム型の第１外殻体２Ｄと、この第１外殻体２Ｄに対して間に空気領域５Ｄを形成しつつ嵌着配置される成型品からなるドーム型の第２外殻体３Ｄと、により構成するとともに、前記第１外殻体２Ｄの内面、前記第１外殻体２Ｄの内面と対向する第２外殻体３Ｄの外面に各々設けた第１導電材部６Ｄ、第２導電材部７Ｄを備える構成とし、更に、前記第２外殻体３Ｄの第１外殻体２Ｄと接合する外面の端縁の一部に導電材部を設けない間隔保持肉厚部１１を設けたことが特徴である。
【００４７】
なお、図７においては、第１配線材、第２配線材の図示を省略する。
【００４８】
図７に示す第４の変形例に係る静電容量型センサアンテナ構造１Ｄによっても、一対のドーム型を呈する前記第１外殻体２Ｄ、第２外殻体３Ｄの対向配置の構成の基に、既述した実施例の静電容量センサアンテナ構造１の場合と同様な効果を発揮させることができ、また、前記間隔保持肉厚部１１を設けたことにより、前記第１外殻体２Ｄ、第２外殻体３Ｄにおける端縁の間隔保持を的確に行うことが可能となる。
【００４９】
また、上述した第１乃至第４の変形例においては、導電塗装やメッキ膜等からなる第１導電材部又は第２導電材部は、成型品の内面だけでなく外面（触れる側）へも設ける構成としたり、実施例で述べた外被部を付加したりすることも可能である。
【００５０】
本実施例、各変形例の静電容量型センサアンテナ構造１、１Ａ乃至１Ｄは、上述した場合の他、アンテナ外殻体の形状を平面視楕円形状、六角形状にする等、本考案の要旨の範囲内で種々の変形実施が可能である。
さらには、上述した本実施例、各変形例においては、第１外殻体、第２外殻体からなる２要素（２分割構造）でアンテナ外殻体を構成する例について説明したが、３分割構造、４分割構造等のような複数分割構造でアンテナ外殻体を構成し、これを基に静電容量型センサアンテナ構造全体を作製することも可能である。
また、図２に示す第１外殻体２、第２外殻体３のうち、第２外殻体３のみを金属板としたり、図４に示す第１外殻体２Ａ、第２外殻体３Ａのうち、第２外殻体３Ａのみを板金加工による金属板としたり、図５、図６、図７に示す静電容量型センサアンテナ構造１Ｂ、静電容量型センサアンテナ構造１Ｃ、静電容量型センサアンテナ構造１Ｄの各内殻を金属の絞り出し加工で形成したりすることも可能である。
さらにまた、例えば実施例の第１外殻体２、第２外殻体３のうち、第２外殻体３については、静電容量型センサアンテナ構造１を取り付ける面側が金属板からなる場合においてはこの金属板を第２外殻体として利用する構成とすることも可能である。
【産業上の利用可能性】
【００５１】
本考案の静電容量型センサアンテナ構造は、産業機械の可動部分の動作検知、移動型電子機器の電波検知、車両等の可動部分検知や走行時の物体検知等用として広範に適用可能である。
【符号の説明】
【００５２】
１    静電容量型センサアンテナ構造
１Ａ  静電容量型センサアンテナ構造
１Ｂ  静電容量型センサアンテナ構造
１Ｃ  静電容量型センサアンテナ構造
１Ｄ  静電容量型センサアンテナ構造
２    第１外殻体
２Ａ  第１外殻体
２Ｂ  第１外殻体
２Ｃ  第１外殻体
２Ｄ  第１外殻体
３    第２外殻体
３Ａ  第２外殻体
３Ｂ  第２外殻体
３Ｃ  第２外殻体
３Ｄ  第２外殻体
４    アンテナ外殻体
４Ａ  アンテナ外殻体
４Ｂ  アンテナ外殻体
４Ｃ  アンテナ外殻体
４Ｄ  アンテナ外殻体
５    空気領域
５Ａ  空気領域
５Ｂ  空気領域
５Ｃ  空気領域
５Ｄ  空気領域
６    第１導電材部
６Ａ  第１導電材部
６Ｂ  第１導電材部
６Ｃ  第１導電材部
６Ｄ  第１導電材部
７    第２導電材部
７Ａ  第２導電材部
７Ｂ  第２導電材部
７Ｃ  第２導電材部
７Ｄ  第２導電材部
８    第１配線材
９    第２配線材
１０    外被部
１１    間隔保持肉厚部
【図１】
0003214481.tif 000003
【図２】
0003214481.tif 000004
【図３】
0003214481.tif 000005
【図４】
0003214481.tif 000006
【図５】
0003214481.tif 000007
【図６】
0003214481.tif 000008
【図７】
0003214481.tif 000009
【図８】
0003214481.tif 000010